(57)【要約】【課題】印刷用紙の少なくとも一面に複数の原稿画像を並設する印刷種類に対し、無駄な印刷を防止できるように印刷属性を設定させる。【解決手段】上述の印刷種類の印刷属性の一つとして、原稿サイズと用紙サイズとの具体的な関係を規定している印刷属性を設け、この印刷属性の複数の選択肢から一つを選択させて、原稿サイズと用紙サイズとの具体的な関係を設定させる。これにより、上述の印刷種類であっても、利用者が意図した原稿サイズと用紙サイズとの組み合わせを確実に設定させることができ、無駄な印刷を確実に防止できる。【選択図】      図４
2004264968.tif 000002
【特許請求の範囲】
【請求項１】
印刷用紙の少なくとも１面に複数の原稿画像を配置する印刷種類の印刷属性を設定させる印刷属性設定装置において、
上記印刷種類における原稿サイズと用紙サイズとの具体的な関係を規定している複数の選択肢を記憶しているサイズ関係選択肢記憶手段と、
上記印刷種類の一つの印刷属性として、上記サイズ関係選択肢記憶手段に記憶されている複数の選択肢の中から１個を設定させるサイズ関係属性設定手段と
を有することを特徴とする印刷属性設定装置。
【請求項２】
上記用紙サイズを設定させる用紙サイズ設定手段と、
上記用紙サイズ設定手段により用紙サイズが再設定された際に、上記サイズ関係属性設定手段による設定選択肢を見直すサイズ関係見直し手段と
を有することを特徴とする請求項１に記載の印刷属性設定装置。
【請求項３】
上記用紙サイズを設定させる用紙サイズ設定手段と、
上記サイズ関係属性設定手段により原稿サイズと用紙サイズとの具体的な関係が再設定された際に、上記用紙サイズ設定手段による用紙サイズを見直す用紙サイズ見直し手段と
を有することを特徴とする請求項１又は２に記載の印刷属性設定装置。
【請求項４】
印刷用紙の少なくとも１面に複数の原稿画像を配置する印刷種類が、ブックレットの作成に利用されるブックレット印刷であることを特徴とする請求項１〜３のいずれかに記載の印刷属性設定装置。
【請求項５】
印刷用紙の少なくとも１面に複数の原稿画像を配置する印刷種類の印刷属性を設定させる印刷属性設定方法において、
上記印刷種類における原稿サイズと用紙サイズとの具体的な関係を規定している複数の選択肢を予め記憶させておくと共に、
上記印刷種類の一つの印刷属性として、予め記憶されている複数の選択肢の中から１個を設定させるサイズ関係属性設定処理を有する
ことを特徴とする印刷属性設定方法。
【請求項６】
印刷用紙の少なくとも１面に複数の原稿画像を配置する印刷種類の印刷属性を設定させる印刷属性設定用プログラムにおいて、
上記印刷種類における原稿サイズと用紙サイズとの具体的な関係を規定している複数の選択肢データを固定データとして含むと共に、
上記印刷種類の一つの印刷属性として、予め記憶されている複数の選択肢の中から１個を設定させるサイズ関係属性設定処理を実行させる、コンピュータが実行可能なコードで記述されたサイズ関係属性設定処理ルーチンを有する
ことを特徴とする印刷属性設定用プログラム。
【発明の詳細な説明】
【０００１】
【発明の属する技術分野】
本発明は、印刷属性設定装置、印刷属性設定方法及び印刷属性設定用プログラムに関し、例えば、プリンタや、複写機や、プリンタ機能や複写機能などの複数機能を有する複合機などの印刷機能を有する装置に対して、ブックレット印刷機能の印刷属性を設定する場合に適用し得るものである。
【０００２】
【従来の技術】
パソコンなどの情報処理装置には、プリンタドライバと呼ばれるプログラムがインストールされ、各種ファイルのデータ（以下、適宜原稿と呼ぶ）を、プリンタドライバを経由してプリンタで印刷させることも広く行われている。プリンタドライバを経由してプリンタで印刷させる際には、使用する用紙サイズを利用者が指定することも広く行われている。
【０００３】
また、原稿を印刷する際に、用紙の片面につき２ページ分の原稿画像を並べて印刷する２ｉｎ１印刷も利用されており、さらに、原稿を印刷するページ順を適当に変更して、２ｉｎ１印刷を両面に行うことで、用紙の真ん中で折り返したときに小冊子を作成するブックレット印刷も利用されている（特許文献１）。
【０００４】
【特許文献１】特開２００２−９４７７３号公報
【０００５】
【発明が解決しようとする課題】
ところで、例えば、Ａ４サイズの原稿をブックレット印刷する場合としては、（１）Ａ４の原稿画像を、Ａ３用紙の表裏のそれぞれに２枚ずつ並べてＡ４サイズの小冊子の作成を意図した場合（等倍印刷の場合）と、（２）Ａ４の原稿画像を、Ａ４用紙の表裏のそれぞれに２枚ずつ並べてＡ５サイズの小冊子の作成を意図した場合（縮小印刷の場合）との２通りの場合がある（なお、縮小倍率が異なる原稿サイズと用紙サイズの組合せがあっても良い）。
【０００６】
特許文献１に開示のものも含め、従来は、上述のように、用紙サイズだけを指定させ（例えば原稿サイズは文書ファイルのデフォルト指定による）、又は、用紙サイズ及び原稿サイズを指定させ、プリンタドライバが、用紙サイズと原稿サイズとの組み合わせに基づいて、等倍でのブックレット印刷か縮小でのブックレット印刷かを自動的にを判定していた。
【０００７】
しかしながら、利用者が用紙サイズ及び又は原稿サイズを設定したとしても、ブックレット印刷の指定時には明確な表示がなされず、利用者の意図に反したブックレット印刷がなされる恐れがあり、そのようなブックレット印刷がなされた場合には印刷が無駄になる。
【０００８】
このような課題は、プリンタデバイスを経由したプリンタを利用したブックレット印刷の場合だけでなく、複写機や複合機などの他の印刷装置の場合でも同様に生じている。
【０００９】
また、ブックレット印刷だけでなく、印刷用紙の少なくとも一面（表面又は裏面）に複数の原稿画像を並設する印刷機能についても、同様な課題が生じている。
【００１０】
そのため、用紙サイズ及び又は原稿サイズの指定により規定される印刷属性を有する、印刷用紙の少なくとも一面（表面又は裏面）に複数の原稿画像を並設する印刷種類であっても、無駄な印刷を確実に防止できる印刷属性設定装置、印刷属性設定方法及び印刷属性設定用プログラムが望まれている。
【００１１】
【課題を解決するための手段】
かかる課題を解決するため、第１の本発明は、印刷用紙の少なくとも１面に複数の原稿画像を配置する印刷種類の印刷属性を設定させる印刷属性設定装置において、上記印刷種類における原稿サイズと用紙サイズとの具体的な関係を規定している複数の選択肢を記憶しているサイズ関係選択肢記憶手段と、上記印刷種類の一つの印刷属性として、上記サイズ関係選択肢記憶手段に記憶されている複数の選択肢の中から１個を設定させるサイズ関係属性設定手段とを有することを特徴とする。
【００１２】
また、第２の本発明は、印刷用紙の少なくとも１面に複数の原稿画像を配置する印刷種類の印刷属性を設定させる印刷属性設定方法において、上記印刷種類における原稿サイズと用紙サイズとの具体的な関係を規定している複数の選択肢を予め記憶させておくと共に、上記印刷種類の一つの印刷属性として、予め記憶されている複数の選択肢の中から１個を設定させるサイズ関係属性設定処理を有することを特徴とする。
【００１３】
さらに、第３の本発明は、印刷用紙の少なくとも１面に複数の原稿画像を配置する印刷種類の印刷属性を設定させる印刷属性設定用プログラムにおいて、上記印刷種類における原稿サイズと用紙サイズとの具体的な関係を規定している複数の選択肢データを固定データとして含むと共に、上記印刷種類の一つの印刷属性として、予め記憶されている複数の選択肢の中から１個を設定させるサイズ関係属性設定処理を実行させる、コンピュータが実行可能なコードで記述されたサイズ関係属性設定処理ルーチンを有することを特徴とする。
【００１４】
【発明の実施の形態】
以下、本発明による印刷属性設定装置、印刷属性設定方法及び印刷属性設定用プログラムの一実施形態を、図面を参照しながら詳細に説明する。なお、この実施形態は、ブックレット印刷の印刷属性の指定に特徴を有するものである。
【００１５】
図１は、この実施形態に係る印刷属性設定装置が適用された情報処理システムの全体構成を示すブロック図である。
【００１６】
図１において、情報処理システム１は、パソコンなどの情報処理装置（以下、パソコンと呼ぶ）２及びプリンタ３がプリンタケーブル４を介して接続されているものである。
【００１７】
パソコン２は、ハードウェア的には、一般的なパソコンと同様な構成を有する。すなわち、パソコン２は、ＣＰＵ１０ａ、ＲＯＭ１０ｂ及びＲＡＭ１０ｃでなる情報処理部１０や、組み込み又は外付けのキーボードやマウスなどが該当する入力装置１１ａ及び当該入力装置１１ａとのインタフェース機能を担う入力インタフェース部（入力ＩＦ）１１ｂや、組み込み又は外付けの液晶ディスプレイ又はＣＲＴディスプレイなどが該当するディスプレイ１２ａ及び当該ディスプレイ１２ａとのインタフェース機能を担うディスプレイインタフェース部（ディスプレイＩＦ）１２ｂや、フレキシブルディスクやＣＤ−ＲＯＭやメモリカードが該当する着脱自在記録媒体１３ａ及び当該着脱自在記録媒体１３ａをアクセスする記録媒体アクセス部１３ｂや、ハードディスクが該当する大容量記憶装置１４ａ及び当該大容量記憶装置１４ａをアクセスする大容量記憶装置アクセス部１４ｂや、プリンタ３とのインタフェース機能を担うプリンタインタフェース部（プリンタＩＦ）１５を有し、これら各要素が内部配線１６によって適宜接続されている。
【００１８】
一方、プリンタ３も、詳細構成は省略するが、一般的なプリンタと同様な構成を有する。なお、この実施形態の場合、プリンタ３はモノクロ用でもカラー用でも良く、また、その印刷方法もレーザで潜像を形成後に現像を行うものでも、インクジェットにより印刷を行うものでも良く、任意である。さらに、用紙サイズが１種類に限定されるプリンタであっても良いが、この実施形態の場合には、複数の用紙サイズに対応できるプリンタを特には意図している。
【００１９】
パソコン２の大容量記憶装置１４ａには、プリンタ３用のプリンタドライバ（プリンタ駆動用プログラム；実施形態の印刷属性設定用プログラムに相当する）２０がインストールされている。プリンタドライバ２０（プリンタ駆動用プログラム）には、ＣＰＵ１０ａが実行するプログラム部分だけでなく、固定データやデフォルトデータやその時点での設定データなども含まれている。
【００２０】
図２は、プリンタドライバ２０の概略構造（プログラム構造）を示す説明図である。
【００２１】
プリンタドライバ２０は、大きくは、印刷属性を設定させる印刷属性設定部２１と、設定された印刷属性に従って、印刷対象の情報から印刷画像を形成する印刷画像形成部２２とに分けられる。この実施形態は、印刷属性設定部２１に特徴を有するものであり、印刷画像形成部２２の説明は省略する。
【００２２】
この実施形態では、印刷属性が種々の観点からグループ化され、しかも、グループは階層化されおり、グループ単位で表示して各印刷属性を設定し得るように、印刷属性設定部２１は、グループ単位の設定部２１−１、２１−２、…に分かれている。
【００２３】
原稿サイズ（Ｏｒｉｇｉｎａｌ  Ｐａｐｅｒ  Ｓｉｚｅ）や用紙サイズ（Ｐｒｉｎｔ  Ｐａｐｅｒ  Ｓｉｚｅ）や変倍率（原稿画像に対するその印刷画像の割合；Ｓｃａｌｅ）などの主たる印刷属性は、印刷指令時（セットアップ；Ｓｅｔｕｐ）に最初に設定画像が表示されるセットアップ属性グループ（の設定部）２１−１の印刷属性となっている。
【００２４】
セットアップ属性グループの設定部２１−１には、後述する図５に示すような、用紙サイズの設定時にブックレット印刷の仕上がりサイズ（Ｃｏｍｐｌｅｔｉｏｎ  Ｏｕｔｐｕｔ  Ｓｉｚｅ）の選択肢を見直すプログラム２１−１Ｐや、そのプログラム２１−１Ｐが利用する図６に示すような変換テーブル２１−１Ｔも含まれている。
【００２５】
用紙に対する原稿画像のレイアウト（Ｌａｙｏｕｔ）を規定する印刷属性は、レイアウト属性グループ２１−２の印刷属性となっている。レイアウト属性グループ（の設定部）２１−２は、さらに、標準配置印刷属性グループ（Ｓｔａｂｄａｒｄ）２１−２ａ、ブックレット印刷属性グループ（Ｂｏｏｋｌｅｔ）２１−２ｂ及び多ページ１枚印刷属性グループ（Ｍｕｌｔｉｐｌｅ  Ｐａｐｅｒｓ  ｐｅｒ  Ｓｈｅｅｔ）２１−２ｃに細分されている。
【００２６】
ブックレット印刷属性グループの設定部２１−２ｂには、後述する図７に示すような、ブックレット印刷の仕上がりサイズの設定時に用紙サイズの選択肢を見直すプログラム２１−２ｂＰや、そのプログラム２１−２ｂＰが利用する変換テーブル２１−２ｂ１Ｔも含まれている。
【００２７】
図２では省略しているが、フォント選択、印刷効果、…などの他の印刷属性グループも存在する（図３及び図４参照）。
【００２８】
印刷属性の各設定画像は、最上位階層のグループ間では直ちに表示画像を切り換えられるように、他の最上位階層のグループ名を有する選択肢を含んでいる（図３及び図４参照）。
【００２９】
図３は、セットアップ属性グループ２１−１の印刷属性の設定画像Ｐ１を示す説明図である。
【００３０】
図３に示すように、セットアップ属性グループ２１−１の印刷属性の設定画像Ｐ１には、上述したように、原稿サイズ（Ｏｒｉｇｉｎａｌ  Ｐａｐｅｒ  Ｓｉｚｅ）や変倍率（Ｓｃａｌｅ）や用紙サイズ（Ｐｒｉｎｔ  Ｐａｐｅｒ  Ｓｉｚｅ）の設定フィールド（コンボボックスやエディットボックス）３１〜３３を有し、利用者は、これらのボックス上に任意の選択肢を設定することで、原稿サイズや変倍率や用紙サイズを任意に設定できる。
【００３１】
図４は、レイアウト属性グループ２１−２の下位階層であるブックレット印刷属性グループ２１−２ｂの印刷属性の設定画像Ｐ２を示す説明図である。
【００３２】
図４に示すように、ブックレット印刷の仕上がりサイズ（Ｃｏｍｐｌｅｔｉｏｎ  Ｏｕｔｐｕｔ  Ｓｉｚｅ）の設定フィールド（コンボボックス）４１を有し、利用者は、このコンボボックス４１上に任意の選択肢を設定することで、ブックレット印刷の仕上がりサイズを任意に設定できる。
【００３３】
このように、ブックレット印刷の仕上がりサイズを利用者が設定可能としたことに、この実施形態の大きな特徴がある。
【００３４】
仕上がりサイズとは、例えば、「Ａ３用紙上にＡ４原稿のブックレット印刷（Ａ４  Ｂｏｏｋｌｅｔ  ｏｎ  Ａ３）」や、「Ａ４用紙上にＡ５原稿のブックレット印刷（Ａ５  Ｂｏｏｋｌｅｔ  ｏｎ  Ａ４）」のように、「原稿の各ページが印刷されるサイズ」と、実際に使用される用紙サイズ」のペアで表現されているものであり、利用者が、当初の原稿サイズがＡ４であった場合に考えられる、上述した２通りのブックレット印刷方法のうち、どちらを望んでいるのかを明確にすることができるものである。
【００３５】
利用者は、例えば、ＣＰＵ１０ａで実行させていたアプリケーションソフトウェア（以下、アプリケーションと呼ぶ）に係るドキュメントなどを印刷したくなったときには、そのアプリケーションに係る表示画面での印刷指示アイコンなどを操作する。このとき、ＣＰＵ１０ａは、ＲＡＭ１０ｃに、大容量記憶装置１４ａに記憶されているプリンタドライバ２０を全て、又は、利用者の操作に応じて一部ずつ転送させ、プリンタドライバ２０の処理を実行する。
【００３６】
以上のようにして、利用者がプリンタドライバ２０を開いた直後には、セットアップ属性グループ２１−１の印刷属性の設定画像Ｐ１が表示される。この画像Ｐ１で設定可能な印刷部数、ステイプル有無、用紙サイズ等の比較的よく使われている印刷属性である。原稿サイズコンボボックス３１は、通常、原稿を作成する際に、アプリケーション内で指定した値が表示される。用紙サイズコンボボックス３３では、その初期値は、原稿サイズコンボボックス３１に表示されているものと同じサイズであり、その値を表示しても良いが、同じであること（Ｓａｍｅ  ａｓ  Ｏｒｉｇｉｎａｌ  Ｓｉｚｅ）が表示している。利用者が、それ以外のサイズの用紙を使用するためには、Ａ４、Ａ３のようにプリンタがサポートしている用紙サイズの中から印刷する際に使用したいサイズを選択する。
【００３７】
ＣＰＵ１０ａは、用紙サイズコンボボックス３３の用紙サイズが新たに設定された（変更された）際においてブックレット印刷が選択されていると、図５に示すブックレット印刷の仕上がりサイズの選択肢を見直すプログラム２１−１Ｐを実行する。なお、用紙サイズの変更時には、各種の印刷属性の見直しが実行されるが、図５では、ブックレット印刷の仕上がりサイズの見直しについてのみ示している。
【００３８】
ＣＰＵ１０ａは、まず、選択された用紙サイズが原稿サイズと同じであるか否かを判別する（Ｓ１）。選択された用紙サイズが原稿サイズと異なる場合には、ブックレット印刷の仕上がりサイズコンボボックス４１の値を、用紙サイズを入力として図６の変換テーブル２１−１Ｔから求められるものに変更する（Ｓ２）。例えば、選択された用紙サイズがＢ４であれば、ブックレット印刷の仕上がりサイズコンボボックス４１の値を「Ｂ４用紙上にＢ５原稿のブックレット印刷（Ｂ５  Ｂｏｏｋｌｅｔ  ｏｎ  Ｂ４）」に変更する。一方、選択された用紙サイズが原稿サイズと同じ場合には、ブックレット印刷の仕上がりサイズコンボボックス４１の値を、原稿サイズを入力として図６の変換テーブル２１−１Ｔから求められるものに変更する（Ｓ３）。
【００３９】
なお、図６の変換テーブル２１−１Ｔは、用紙サイズ又は原稿サイズを入力とし、それに対応するブックレット印刷の仕上がりサイズを出力するものとなっている。
【００４０】
また、ブックレット印刷を希望する利用者は、図４に示す、レイアウト属性グループ２１−２の下位階層であるブックレット印刷属性グループ２１−２ｂの印刷属性の設定画像Ｐ２を表示させてその印刷属性を設定させる。
【００４１】
この設定画像Ｐ２では、ブックレット印刷の際に、２ｉｎ１画像を貼り付ける間隔を指定したり、右開きのブックレットを作成するのか、左開きのブックレットを作成するのかを選択したりすることなどができる。また、利用者は、仕上がりサイズコンボボックス４１に対し、各ページ（原稿）が実際に印刷される際のサイズと、印刷に使用する用紙サイズを組み合わせた形の仕上がりサイズを選択することができる。
【００４２】
ＣＰＵ１０ａは、仕上がりサイズコンボボックス４１の仕上がりサイズが新たに設定される（変更される）と、図７に示す用紙サイズの選択肢を見直すプログラム２１−２ｂＰを実行する。
【００４３】
ＣＰＵ１０ａは、用紙サイズコンボボックス３３の値を、仕上がりサイズを入力として図８の変換テーブル２１−２ｂＴから求められるものに変更する（Ｓ１０）。例えば、仕上がりサイズとして新たに「Ａ４用紙上にＡ５原稿のブックレット印刷（Ａ５  Ｂｏｏｋｌｅｔ  ｏｎ  Ａ４）」が選択された場合には、用紙サイズコンボボックス３３の値を「Ａ４」とする。
【００４４】
なお、図８の変換テーブル２１−２ｂＴは、ブックレット印刷の仕上がりサイズを入力とし、それに対応する用紙サイズを出力するものとなっている。
【００４５】
利用者は、各種印刷属性の設定を終了したときには、いずれのグループに係る設定画像が表示されていても実行キー又は実行アイコン（図３及び図４では「ＯＫ」アイコンで示している）を操作する。
【００４６】
このとき、ＣＰＵ１０ａは、印刷対象の原稿データ（ワープロなどで入力したものでも、イメージスキャナで読み取ったものでも、電子カメラで撮像したものでも良く、その原稿の入力方法は問われない）を、設定された印刷属性に従って、印刷画像のデータに変換してプリンタ３に送信し、プリンタ３は、その印刷画像を用紙に印刷する。
【００４７】
上記実施形態によれば、ブックレット印刷に関し、原稿サイズ及び用紙サイズを明確にした選択肢を有する仕上がりサイズという属性を設けて、利用者に設定させるようにしたので、利用者は、意図した仕上がりサイズを適切に指定でき、その結果、誤った印刷を未然に防止することができる。
【００４８】
また、上記実施形態によれば、用紙サイズ及び仕上がりサイズの指定時には、自動的に他方の属性を見直すようにしているので、例えば、仕上がりサイズの指定により用紙サイズの変更を要するときに、利用者が用紙サイズの変更操作を行う必要がなく、操作性が良好である。
【００４９】
（Ｂ）他の実施形態
上記実施形態においては、ブックレット印刷に関する原稿サイズと用紙サイズとの関係を規定する選択肢表現が、「Ａ４用紙上にＡ５原稿のブックレット印刷（Ａ５  Ｂｏｏｋｌｅｔ  ｏｎ  Ａ４）」のように、両サイズの具体的大きさの表現を含むものであったが、他の表現で、原稿サイズと用紙サイズとの関係を規定するものであっても良い。例えば、「Ａ４原稿を等倍するブックレット印刷」や「Ａ４原稿を縮小するブックレット印刷」のような表現で原稿サイズと用紙サイズとの関係を具体的に規定しても良く、また、「原稿を等倍でＡ３用紙に配置するブックレット印刷」や「原稿を縮小でＡ４用紙に配置するブックレット印刷」のような表現で原稿サイズと用紙サイズとの関係を具体的に規定しても良い。
【００５０】
また、上記実施形態においては、パソコン２及びプリンタ３を接続（有線接続でも無線接続でも良い）するシステムに本発明を適用したものを示したが、ブックレット印刷機能を有する複写機や複合機などの他種類の装置に対しても、本発明を同様に適用することができる。
【００５１】
さらに、上記実施形態においては、ブックレット印刷機能に本発明を適用した場合を示したが、用紙の一面（両面でも良い）に、複数の原稿を配置する印刷機能に対しては、本発明を適用することができる。例えば、用紙の表面に２枚の原稿を配置する、単なる２ｉｎ１印刷機能に対しても本発明を適用することができる。
【００５２】
【発明の効果】
以上のように、本発明によれば、印刷用紙の少なくとも１面に複数の原稿画像を配置する印刷種類の印刷属性を利用者に設定させる際に、原稿サイズと用紙サイズとの具体的な関係を規定している複数の選択肢から選択させ、原稿サイズと用紙サイズとを規定するように設定させるようにしたので、印刷用紙の少なくとも１面に複数の原稿画像を配置する印刷種類であっても、利用者が意図した原稿サイズと用紙サイズとの組み合わせを確実に設定させることができ、無駄な印刷を確実に防止することができる。
【図面の簡単な説明】
【図１】実施形態の印刷属性設定装置が適用された情報処理システムの全体構成を示すブロック図である。
【図２】実施形態のプリンタドライバの概略構造（プログラム構造）を示す説明図である。
【図３】実施形態のセットアップ属性グループの印刷属性の設定画像を示す説明図である。
【図４】実施形態のレイアウト属性グループの下位階層であるブックレット印刷属性グループの印刷属性の設定画像を示す説明図である。
【図５】実施形態の用紙サイズの設定時にブックレット印刷の仕上がりサイズの選択肢を見直す処理を示すフローチャートである。
【図６】図５の処理で利用する変換テーブル例を示す説明図である。
【図７】実施形態のブックレット印刷の仕上がりサイズの設定時に用紙サイズの選択肢を見直す処理を示すフローチャートである。
【図８】図７の処理で利用する変換テーブル例を示す説明図である。
【符号の説明】
１…情報処理システム、２…パソコン、３…プリンタ、１０ａ…ＣＰＵ、１４ａ…大容量記憶装置、２０…プリンタドライバ、２１…印刷属性設定部、２１−１…セットアップ属性グループの設定部、２１−１Ｐ…仕上がりサイズ見直しプログラム、２１−１Ｔ…プログラム２１−１Ｐが利用する変換テーブル、２１−２…レイアウト属性グループの設定部、２１−２ｂ…ブックレット印刷属性グループの設定部、２１−２ｂＰ…用紙サイズ見直しプログラム、２１−２ｂ１Ｔ…プログラム２１−２ｂＰが利用する変換テーブル。
【図１】
2004264968.tif 000003
【図２】
2004264968.tif 000004
【図３】
2004264968.tif 000005
【図４】
2004264968.tif 000006
【図５】
2004264968.tif 000007
【図６】
2004264968.tif 000008
【図７】
2004264968.tif 000009
【図８】
2004264968.tif 000010